(57)【特許請求の範囲】
【請求項１】
縦方向に前胴周り域および後胴周り域と、それら胴周り域の間に位置する股下域とを備え、肌当接側に面する内面と、肌非当接側に面する外面とを有する使い捨て排泄処理物品において、
前記物品が、前記前後胴周り域と前記股下域とのうちの少なくとも該股下域に該物品の内外面を貫通する少なくとも一つの開孔を有し、前記開孔を覆う不透液性被覆シートが、前記物品の外面に配置され、水分を吸収したときに所与倍率に膨張する吸液性パネルが、前記物品と前記被覆シートとの間に介在し、
前記被覆シートは、それを折り込むことによって形成され縦方向と横方向とのいずれか一方向へ延びる少なくとも一つのプリーツと、波状に起伏を繰り返すことによって形成され前記一方向と交差する方向へ延びる凸条とを含み、前記被覆シートの周縁部が前記物品の外面に固着されていることを特徴とする前記物品。
【請求項２】
前記物品が、前記開孔の両側に位置して前記股下域から前記前後胴周り域へ向かって縦方向へ延びる不透液性防漏シートを有し、前記防漏シートが、前記物品に固着された固定側部と、前記物品の上方へ起立性向を有する自由側部と、前記物品の前後胴周り域に固着された固定両端部とを有し、縦方向へ延びる伸縮性弾性部材が、前記自由側部に伸長下に取り付けられている請求項１記載の物品。
【請求項３】
前記吸液性パネルが、前記物品の内面に固着され、前記物品では、前記開孔の直下に前記吸液性パネルが存在せず、前記開孔から前記被覆シートがのぞいている請求項１または２に記載の物品。
【請求項４】
前記物品が、肌当接側に位置する透液性表面シートと、肌非当接側に位置する不透液性裏面シートとから形成されている請求項１ないし請求項３いずれかに記載の物品。
【請求項５】
前記吸液性パネルが、天然繊維と合成繊維と高吸収性ポリマーとのうちの少なくとも該天然繊維と該高吸収性ポリマーとから形成されている請求項１ないし請求項４いずれかに記載の物品。
【発明の詳細な説明】
【技術分野】
【０００１】
本発明は、使い捨て排泄処理物品に関し、さらに詳細には、排泄処理物品として使用することができる物品に関する。
【背景技術】
【０００２】
特許文献１には、縦方向に前胴周り域および後胴周り域と、それら胴周り域の間に位置する股下域とを備え、通気性内側シートと、不透水性外側シートと、それらシートの間に介在するマット状のコアとから形成されたおむつカバーを開示している。コアは、熱可塑性合成樹脂繊維を織成または編成した編織物から形成されている。このおむつカバーでは、股下域の中央部にコアが存在せず、おむつカバーの厚み方向へ凹む凹部が股下域の中央部に形成されている。おむつカバーは、凹部におむつを装着して着用する。
【特許文献１】特開２００１−１７００９５号公報
【発明の開示】
【発明が解決しようとする課題】
【０００３】
前記公報に開示のおむつカバーでは、その着用時に、凹部におむつを装着したとしても、尿や大便が多量に排泄されると、おむつがそれら排泄物を吸収しきれず、それら排泄物がおむつからおむつカバー上に漏れてしまう場合がある。このおむつカバーでは、それを形成するコアが排泄物を吸収、保持することはないので、おむつから漏れた排泄物がおむつカバー上に残存し、排泄物がおむつカバーから着用者の肌に付着して着用者の肌を広範囲に汚してしまう場合がある。
【０００４】
本発明の課題は、排泄物を吸収、保持することができ、多量の排泄物が排泄されたとしても、それが着用者の肌に付着することがない使い捨て排泄処理物品を提供することにある。
【課題を解決するための手段】
【０００５】
前記課題を解決するための本発明の前提は、縦方向に前胴周り域および後胴周り域と、それら胴周り域の間に位置する股下域とを備え、肌当接側に面する内面と、肌非当接側に面する外面とを有する使い捨て排泄処理物品である。
【０００６】
前記前提における本発明の特徴は、前記物品が、前記前後胴周り域と前記股下域とのうちの少なくとも該股下域に該物品の内外面を貫通する少なくとも一つの開孔を有し、前記開孔を覆う不透液性被覆シートが、前記物品の外面に配置され、水分を吸収したときに所与倍率に膨張する吸液性パネルが、前記物品と前記被覆シートとの間に介在し、前記被覆シートは、それを折り込むことによって形成され縦方向と横方向とのいずれか一方向へ延びる少なくとも一つのプリーツと、波状に起伏を繰り返すことによって形成され前記一方向と交差する方向へ延びる凸条とを含み、前記被覆シートの周縁部が前記物品の外面に固着されていることにある。
【０００７】
【０００８】
本発明の実施の態様の他の一例としては、前記物品が前記開孔の両側に位置して前記股下域から前記前後胴周り域へ向かって縦方向へ延びる不透液性防漏シートを有し、前記防漏シートは、前記物品に固着された固定側部と、前記物品の上方へ起立性向を有する自由側部と、前記物品の前後胴周り域に固着された固定両端部とを有し、縦方向へ延びる伸縮性弾性部材が前記自由側部に伸長下に取り付けられている。
【０００９】
本発明の実施の態様の他の一例としては、前記吸液性パネルが前記物品の内面に固着され、前記物品では、前記開孔の直下に前記吸液性パネルが存在せず、前記開孔から前記被覆シートがのぞいている。
【００１０】
本発明の実施の態様の他の一例としては、前記物品が肌当接側に位置する透液性表面シートと肌非当接側に位置する不透液性裏面シートとから形成されている。
【００１１】
本発明の実施の態様の他の一例としては、前記吸液性パネルが天然繊維と合成繊維と高吸収性ポリマーとのうちの少なくとも該天然繊維と該高吸収性ポリマーとから形成されている。
【００１２】
【発明の効果】
【００１３】
本発明にかかる使い捨て排泄処理物品によれば、それに排泄された尿や大便が開孔を通過して吸液性パネルに到達し、それら排泄物がパネルに吸収、保持されるので、それら排泄物がパネルから物品の内面に逆戻りすることはなく、それら排泄物が物品上に残存することもない。この物品では、尿や大便が着用者の肌に付着することはなく、それら排泄物によって着用者の肌が汚れてしまうことはない。この物品では、パネルの膨張によって、被覆シートに形成されたプリーツが伸展し、被覆シートが物品の厚み方向下方へ伸長して物品と被覆シートとの間に所与容積の空間が形成される。この物品では、パネルが膨張したとしても、プリーツが伸展して物品と被覆シートとの間に空間が形成されるので、被覆シートがパネルの膨張を阻害することはなく、排泄物が被覆シートとパネルとの間を流動することができ、排泄物の吸収にパネルの略全域を利用してパネルに排泄物を速やかに吸収、保持させることができる。
【００１４】
被覆シートにプリーツと多数の凸条とが形成された物品では、それに排泄された尿や大便が開孔を通過して吸液性パネルに到達し、それら排泄物がパネルに吸収、保持されるので、尿や大便が着用者の肌に付着することはなく、それら排泄物によって着用者の肌が汚れてしまうことはない。この物品では、パネルの膨張によって、プリーツとともに凸条も伸展し、被覆シートが物品の厚み方向下方へ伸長して物品と被覆シートとの間に所与容積の空間が形成される。この物品では、被覆シートにプリーツのみが形成された物品よりも、物品と被覆シートとの間に大きな容積の空間が形成される。この物品では、パネルが膨張したとしても、プリーツと凸条とが伸展して物品と被覆シートとの間に空間が形成されるので、被覆シートがパネルの膨張を阻害することはなく、排泄物が被覆シートとパネルとの間を流動することができ、排泄物の吸収にパネルの略全域を利用してパネルに排泄物を速やかに吸収、保持させることができる。
【００１５】
開孔の両側に防漏シートを有する物品では、それが縦方向へ湾曲すると、弾性部材が縦方向へ収縮して防漏シートの自由側部が物品の上方へ起立する。この物品では、尿や大便が物品上に排泄されたとしても、防漏シートの自由側部がそれら排泄物に対する障壁を形成するので、それら排泄物が股下域から漏れてしまうことを防ぐことができる。
【００１６】
開孔の直下に吸液性パネルが存在しない物品では、開孔の直下にパネルの厚みに相当する大便収容部が形成されるので、大便を大便収容部に収容することができ、多量の大便が排泄されたとしても、大便が物品上に残存することはない。
【発明を実施するための最良の形態】
【００１７】
添付の図面を参照し、本発明にかかる使い捨て排泄処理物品の詳細を説明すると、以下のとおりである。
【００１８】
図１，２は、肌当接側から示す排泄処理物品１Ａの部分破断斜視図と、肌非当接側から示す図１の排泄処理物品１Ａの斜視図とであり、図３，４は、図１のＡ−Ａ線矢視断面図と、図１のＢ−Ｂ線矢視断面図とである。図１，２では、横方向を矢印Ｘ、縦方向を矢印Ｙで示し、厚み方向を矢印Ｚで示す。図３，４では、パネル１６が膨張した状態と被覆シート１５が排泄処理物品１Ａの厚み方向下方へ伸長した状態とを二点鎖線で示す。なお、表裏面シート２，３や被覆シート１５は、肌当接側に面する内面と、肌非当接側に面する外面とを有する。
【００１９】
排泄処理物品１Ａは、肌当接側に位置する透液性表面シート２および不透液性防漏シート４と、肌非当接側に位置する不透液性裏面シート３とから形成されている。排泄処理物品１Ａは、縦方向に前胴周り域５および後胴周り域７と、それら胴周り域５，７の間に位置する股下域６とを備え、前後胴周り域５，７を横方向へ延びる胴周り端部８と、前後胴周り域５，７を縦方向へ延びる胴周り側部９と、股下域６を縦方向へ延びる脚周り側部１０とを有する。排泄処理物品１Ａでは、脚周り側部１０が横方向内方へ向かって湾曲し、その平面形状が実質的に砂時計型を呈する。排泄処理物品１Ａには、表面シート２と裏面シート４とをその厚み方向へ貫通する二つの開孔１１，１２が形成されている。
【００２０】
胴周り端部８には、横方向へ延びる帯状の胴周り用弾性部材１３が伸長状態で取り付けられている。脚周り側部１０には、縦方向へ延びる複数条の脚周り用弾性部材１４が伸長状態で取り付けられている。
【００２１】
開孔１１，１２は、縦長円形を呈し、股下域６を縦方向へ並んでいる。それら開孔１１，１２は、股下域６における前胴周り域５の側に偏倚した位置と股下域６の略中央部とに形成されている。開孔１１は、排泄処理物品１Ａにおける排尿部位に形成されている。開孔１２は、排泄処理物品１Ａにおける排便部位に形成されている。それら開孔１１，１２の周縁では、表面シート２と裏面シート３とが合掌状に重なり合った状態で、表面シート２の外面と裏面シート３の内面とが固着されている。裏面シート３の外面には、開孔１１，１２を覆う不透液性被覆シート１５が配置されている。排泄処理物品１Ａと被覆シート１５との間には、吸液性パネル１６が介在している。
【００２２】
防漏シート４は、開孔１１，１２の両側に位置し、股下域６から前後胴周り域５，７へ向かって縦方向へ延びている。防漏シート４は、胴周り側部９と脚周り側部１０とに固着されて縦方向へ延びる固定側部４ａと、表面シート２の上方へ起立性向を有して縦方向へ延びる自由側部４ｂと、排泄処理物品１Ａの横方向内方へ倒伏した状態で胴周り端部８に固着された固定両端部４ｃとを有する。自由側部４ｂには、縦方向へ延びる伸縮性弾性部材１７が伸長状態で取り付けられている。弾性部材１７は、自由側部４ｂの一部に被覆されている。
【００２３】
被覆シート１５は、前後胴周り域５，７を横方向へ延びる両端部１５ａ（周縁部）と、股下域６から前後胴周り域５，７に向かって縦方向へ延びる両側部１５ｂ（周縁部）とを有する。被覆シート１５では、その両端部１５ａと両側部１５ｂとが裏面シート３の外面に固着されている。被覆シート１５には、縦方向へ延びる多数のプリーツ１８と、横方向に延びるとともに縦方向へ並ぶ多数の凸条１９とが形成されている。プリーツ１８は、図３に示すように、被覆シート１５を横方向内方へ向かってＺ字状に折り込むことによって形成されている。凸条１９は、図４に示すように、被覆シート１５が横方向へ波状に起伏を繰り返すことによって形成されている。
【００２４】
吸液性パネル１６は、所与厚みを有するマット状を呈し、裏面シート３の外面に固着されている。パネル１６は、天然繊維と高吸収性ポリマー粒子との混合物、または、天然繊維と高吸収性ポリマー粒子と合成繊維との混合物であり、所要の厚みに圧縮されている。パネル１６は、それの型崩れやポリマー粒子の脱落を防止するため、全体がティッシュペーパーや親水性繊維不織布等の透液性シートに包被されていることが好ましい。
【００２５】
天然繊維には、吸水性を有する粉砕パルプや綿、麻を使用することができる。合成繊維には、ポリオレフィン系、ポリエステル系、ポリアミド系の繊維を使用することができる。ポリマー粒子には、デンプン系、セルロース系、合成ポリマー系のものを使用することができる。天然繊維や合成繊維は、毛細管現象によって排泄物をその繊維間隙に保持する。また、ポリマー粒子は、その自重に対して排泄物に含まれる水分を３０〜７０倍の範囲で吸収可能であり、水分を吸収したときにその体積が３０〜７０倍に膨潤する。ゆえに、パネル１６は、尿や大便を吸収、保持することが可能である。
【００２６】
後胴周り域７の胴周り側部９には、横方向内方へ延びるテープファスナ２０が取り付けられている。テープファスナ２０では、その自由端部に粘着剤（図示せず）が塗布され、自由端部が粘着剤を介して後胴周り域７の胴周り側部９に着脱可能に仮止めされている。前胴周り域５の胴周り側部９には、テープファスナ２０を着脱可能に止着する矩形のターゲットテープ２１が取り付けられている。ターゲットテープ２１は、裏面シート３の外面に固着されている。テープファスナ２０とターゲットテープ２１とは、可撓性を有するプラスチックフィルムから形成されている。
【００２７】
この排泄処理物品１Ａを着用するには、後胴周り域７の胴周り側部９を前胴周り域５の胴周り側部９の外側に重ね合わせ、粘着剤を介してテープファスナ２０の自由端部をターゲットテープ２１に止着し、前胴周り域５と後胴周り域７とを連結する。前後胴周り域５，７が連結された排泄処理物品１Ａには、胴周り開口とその下方に一対の脚周り開口とが形成される（図示せず）。
【００２８】
排泄処理物品１Ａでは、それに排泄された尿が開孔１１を通過してパネル１６に到達するとともに、それに排泄された大便が開孔１２を通過してパネル１６に到達し、それら排泄物がパネル１６に吸収、保持されるので、それら排泄物がパネル１６から排泄処理物品１Ａを形成する表面シート２の内面に逆戻りすることはない。排泄処理物品１Ａでは、尿や大便が排泄処理物品１Ａ上に残存することはなく、それら排泄物が着用者の肌に付着することはないので、排泄物によって着用者の肌が汚れてしまうことはない。
【００２９】
パネル１６は、それが排泄物を吸収、保持すると、ポリマー粒子の膨潤によって排泄処理物品１Ａの縦横方向と厚み方向とへ所与倍率に膨張する。排泄処理物品１Ａでは、パネル１６の膨張によって、図３，４に仮想線で示すように、被覆シート１５に形成されたプリーツ１８が横方向へ伸展するとともに、被覆シート１５に形成された凸条１９が縦方向へ伸展する。排泄処理物品１Ａでは、プリーツ１８と凸条１９とが伸展すると、被覆シート１５が矢印Ｚ１で示す排泄処理物品１Ａの厚み方向下方へ伸長し、排泄処理物品１Ａと被覆シート１５との間に所与容積の空間２２が形成される。
【００３０】
排泄処理物品１Ａでは、パネル１６が膨張したとしても、被覆シート１５のプリーツ１８や凸条１９が伸展することによって、排泄処理物品１Ａと被覆シート１５との間に空間２２が形成されるので、被覆シート１５がパネル１６の膨張を阻害することはなく、排泄物が被覆シート１５とパネル１６との間を流動することができ、排泄物の吸収にパネル１６の略全域を利用することができる。ゆえに、排泄処理物品１Ａでは、パネル１６に排泄物を速やかに吸収、保持させることができる。尿や大便が排泄される以前の排泄処理物品１Ａでは、被覆シート１５のプリーツ１８や凸条１９が伸展することはなく、被覆シート１５が排泄処理物品１Ａの厚み方向下方へ伸長することはないので、被覆シート１５をコンパクトにしておくことができる。
【００３１】
排泄処理物品１Ａでは、それが表面シート２を内側にして縦方向へ湾曲すると、弾性部材１７が縦方向へ収縮して防漏シート４の自由側部４ｂが表面シート２の上方へ起立する。排泄処理物品１Ａでは、大便や尿があやまって排泄処理物品１Ａ上に排泄されたとしても、防漏シート４の自由側部４ｂがそれら排泄物に対する障壁を形成するので、それら排泄物が股下域６から漏れてしまうことを防ぐことができる。
【００３２】
胴周り端部８では、表面シート２の端部２ａと裏面シート３の端部３ａとが互いに重なり合った状態で固着されている。防漏シート４の固定両端部４ｃは、表面シート２の端部２ａ内面に固着されている。胴周り用弾性部材１３は、表面シート２の端部２ａと裏面シート３の端部３ａとの間に介在し、それらシート２，３の端部２ａ，３ａに固着されている。
【００３３】
胴周り側部９と脚周り側部１０とでは、表面シート２の側部２ｂから横方向外方へ裏面シート３の側部３ｂと防漏シート４の固定側部４ａとが延びている。胴周り側部９と脚周り側部１０とでは、表面シート２の側部２ｂが裏面シート３の側部３ｂと防漏シート４の固定側部４ａとの間に介在し、それらシート２，３，４の側部２ｂ，３ａ，４ｂどうしが互いに重なり合った状態で固着されている。脚周り用弾性部材１４は、裏面シート３の側部３ｂと防漏シート４の固定側部４ａとの間に介在し、それらシート３，４の側部３ａ，４ａに固着されている。
【００３４】
図５，６は、肌当接側から示す他の実施の形態の排泄処理物品１Ｂの部分破断斜視図と、肌非当接側から示す図５の排泄処理物品１Ｂの斜視図とであり、図７，８は、図５のＣ−Ｃ線矢視断面図と、図５のＤ−Ｄ線矢視断面図とである。図５，６では、横方向を矢印Ｘ、縦方向を矢印Ｙで示し、厚み方向を矢印Ｚで示す。図７，８では、パネル１６が膨張した状態と被覆シート１５が排泄処理物品１Ｂの厚み方向下方へ伸長した状態とを二点鎖線で示す。
【００３５】
排泄処理物品１Ｂは、透液性表面シート２および不透液性防漏シート４と、不透液性裏面シート３とから形成され、裏面シート３の外面に配置された被覆シート１５と、排泄処理物品１Ｂと被覆シート１５との間に介在する吸液性パネル１６とを有する点において図１の排泄処理物品１Ａと同一である。この排泄処理物品１Ｂが図１のそれと異なる点は、以下のとおりである。
【００３６】
排泄処理物品１Ｂの開孔１２の直下には、パネル１６が存在せず、開孔１２から被覆シート１５の内面がのぞいている。開孔１２の直下には、排泄処理物品１Ｂと被覆シート１５との間にパネル１６の厚みに相当する大便収容部２３が形成されている。パネル１６は、裏面シート３の外面に固着されている。
【００３７】
被覆シート１５では、その両端部１５ａ（周縁部）と両側部１５ｂ（周縁部）とが裏面シート３の外面に固着されている。被覆シート１５には、横方向へ延びる多数のプリーツ１８と、縦方向へ並ぶ多数の凸条１９とが形成されている。それらプリーツ１８は、図７に示すように、被覆シート１５を縦方向内方へ向かってＺ字状に折り込むことによって形成されている。それら凸条１９は、図８に示すように、被覆シート１５が横方向へ波状に起伏を繰り返すことによって形成されている。
【００３８】
排泄処理物品１Ｂでは、それに排泄された尿が開孔１１を通過してパネル１６に到達し、尿がパネル１６に吸収、保持される。排泄処理物品１Ｂでは、それに排泄された大便が開孔１２を通過して大便収容部２３に収容される。排泄処理物品１Ｂでは、尿がパネル１６に吸収されるとともに、大便が大便収容部２３に収容されるので、尿がパネル１６から排泄処理物品１Ｂを形成する表面シート２の内面に逆戻りすることはなく、大便が大便収容部２３から表面シート２の内面に逆戻りすることはない。排泄処理物品１Ｂでは、尿や大便が排泄処理物品１Ｂ上に残存することはなく、それら排泄物が着用者の肌に付着することはないので、排泄物によって着用者の肌が汚れてしまうことはない。
【００３９】
排泄処理物品１Ｂでは、パネル１６の膨張と大便収容部２３に収容された大便の質量とによって、図７，８に仮想線で示すように、被覆シート１５に形成されたプリーツ１８が縦方向へ伸展するとともに、被覆シート１５に形成された凸条１９が横方向へ伸展する。排泄処理物品１Ｂでは、プリーツ１８と凸条１９とが伸展すると、被覆シート１５が矢印Ｚ１で示す排泄処理物品１Ｂの厚み方向下方へ伸長し、排泄処理物品１Ｂと被覆シート１５との間に所与容積の空間２２が形成される。
【００４０】
排泄処理物品１Ｂでは、パネル１６が膨張したとしても、プリーツ１８と凸条１９とが伸展して排泄処理物品１Ｂと被覆シート１５との間に空間２２が形成されるので、被覆シート１５がパネル１６の膨張を阻害することはなく、排泄物が被覆シート１５とパネル１６との間を流動することができ、排泄物の吸収にパネル１６の略全域を利用してパネル１６に排泄物を速やかに吸収、保持させることができる。尿や大便が排泄される以前の排泄処理物品１Ｂでは、被覆シート１５のプリーツ１８や凸条１９が伸展することはなく、被覆シート１５が排泄処理物品１Ｂの厚み方向下方へ伸長することはないので、被覆シート１５をコンパクトにしておくことができる。
【００４１】
排泄処理物品１Ｂでは、開孔１２の直下に大便収容部２３が形成されているので、大便を大便収容部２３に収容することができ、多量の大便が排泄されたとしても、大便が排泄処理物品１Ｂ上に残存することはない。
【００４２】
表面シート２には、親水性繊維不織布、多数の開孔を有する疎水性繊維不織布、微細な多数の開孔を有する透液性プラスチックフィルムのいずれかを使用することができる。裏面シート３や防漏シート４、被覆シート１５には、疎水性繊維不織布、通気不透液性プラスチックフィルム、疎水性繊維不織布を重ね合わせた複合不織布、疎水性繊維不織布と通気不透液性プラスチックフィルムとを重ね合わせた複合シートのいずれかを使用することができる。
【００４３】
裏面シート３や防漏シート４、被覆シート１５には、高い耐水性を有するメルトブローン法による繊維不織布を、高い強度と良好な柔軟性とを有するスパンボンド法による繊維不織布で挟んだ複合不織布を使用することもできる。
【００４４】
不織布としては、スパンレース、ニードルパンチ、メルトブローン、サーマルボンド、スパンポンド、ケミカルボンド、エアースルー、の各製法により製造されたものを使用することができる。不織布の構成繊維としては、ポリオレフィン系、ポリエステル系、ポリアミド系、の各繊維、ポリエチレン／ポリプロピレンやポリエチレン／ポリエステルからなる芯鞘型複合繊維または並列型複合繊維を使用することができる。
【００４５】
表裏面シート２，３や防漏シート４、被覆シート１５には、横方向と縦方向とヘ弾性的な伸縮性を有する伸縮性繊維不織布を使用することもできる。伸縮性不織布には、メルトブローンやスパンボンドの各製法により製造されたものを使用することができる。伸縮性不織布の構成繊維には、熱可塑性エラストマー樹脂を溶融、紡糸した伸縮性繊維を使用することができる。また、表裏面シート２，３や防漏シート４、被覆シート１５には、熱可塑性エラストマー樹脂繊維からなる伸縮性繊維不織布の少なくとも片面に、ポリプロピレン、ポリエチレン、ポリエステル、のいずれかの熱可塑性合成樹脂を溶融、紡糸した捲縮繊維からなる繊維不織布を貼り合わせた複合不織布を使用することもできる。
【００４６】
表裏面シート２，３の固着や防漏シート４の固着、被覆シート１５の固着、パネル１６の固着、弾性部材１３，１４，１７の固着には、ホットメルト型接着剤、または、ヒートシールやソニックシール等の熱による溶着手段を利用することができる。
【００４７】
それら図示の排泄処理物品１Ａ，１Ｂでは、開孔１１，１２の大きさや形状について、特に限定はなく、開孔が一つまたは開孔が三つ以上形成されていてもよい。開孔が一つまたは三つ以上形成された排泄処理物品では、開孔が被覆シート１５に覆われていることが必要である。また、それら排泄処理物品１Ａ，１Ｂでは、被覆シート１５の大きさについて特に限定はなく、被覆シート１５に形成されたプリーツ１８や凸条１９の数についても特に限定はない。
【００４８】
図５に示す排泄処理物品１Ｂでは、被覆シート１５を排泄処理物品１Ｂから取り外すことができるように、被覆シート１５の両端部１５ａと両側部１５ｂとが裏面シート３の外面に剥離可能に固着されていてもよい。この場合は、大便が排泄された後、大便と被覆シート１５とを排泄処理物品１Ｂとは別に破棄することができる。
【図面の簡単な説明】
【００４９】
【図１】肌当接側から示す排泄処理物品の部分破断斜視図。
【図２】肌非当接側から示す図１の排泄処理物品の斜視図。
【図３】図１のＡ−Ａ線矢視断面図。
【図４】図１のＢ−Ｂ線矢視断面図。
【図５】肌当接側から示す他の実施の形態の排泄処理物品の部分破断斜視図。
【図６】肌非当接側から示す図５の排泄処理物品の斜視図。
【図７】図５のＣ−Ｃ線矢視断面図。
【図８】図５のＤ−Ｄ線矢視断面図。
【符号の説明】
【００５０】
１Ａ          排泄処理物品
１Ｂ          排泄処理物品
２            透液性表面シート
３            不透液性裏面シート
４            不透液性防漏シート
４ａ          固定側部
４ｂ          自由側部
４ｃ          固定両端部
５            前胴周り域
６            股下域
７            後胴周り域
１１            開孔
１２            開孔
１５            不透液性被覆シート
１５ａ          両端部（周縁部）
１５ｂ          両側部（周縁部）
１６            吸液性パネル
１７            伸縮性弾性部材
１８            プリーツ
１９            凸条
【図１】
0004318695.tif 000002
【図２】
0004318695.tif 000003
【図３】
0004318695.tif 000004
【図４】
0004318695.tif 000005
【図５】
0004318695.tif 000006
【図６】
0004318695.tif 000007
【図７】
0004318695.tif 000008
【図８】
0004318695.tif 000009